(57)【特許請求の範囲】
【請求項１】
円筒型のリテーナ内に円筒フレームを有した回動ルーバーが回動可能に配設され、該回動ルーバーには送風方向と平行な中心線から放射状に複数の可動フィンが該円筒フレームの内側で放射状の支軸により回動可能に軸支されてなるレジスタにおいて、
該リテーナ内の送風方向と平行な中心線上に、ボールを有するボールジョイントが配設され、該回動ルーバーには、該円筒フレームの中央に、複数の軸支部を放射状に設けた中央軸支部が配設され、該中央軸支部は、中央に設けたボール穴を該ボールに嵌合させて、傾動及び回動可能に取り付けられ、
該円筒フレームの内側に複数の可動フィンが、略等間隔をおいてラジアル方向の支軸により回動可能に軸支されるとともに、該各可動フィンの内側部分が該中央軸支部の各軸支部に軸支され、
該中央軸支部の前面側中央には操作部が該回動ルーバーの中心線の回りで回動可能に装着され、該操作部はベベルギヤ機構を介して該各可動フィンの内側部分と連係され、
該円筒フレームの内側にフィン当て縁部が内周に沿って設けられ、
該操作部を該円筒フレームのラジアル方向に動かしたとき、該回動ルーバーは前記ボールジョイントの該ボールを中心に傾動し、該操作部を前記中心線の回りで回動操作したとき、該可動フィンが該ベベルギヤ機構を介して、該中央軸支部の外周部の該軸支部を中心に回動し、該可動フィンを流路の閉鎖状態まで回動させたとき、該可動フィンの外周縁部が該円筒フレームの該フィン当て縁部に当接し、
該可動フィンが該流路を閉鎖したとき、隙間を閉じるための隙間閉鎖用リブが、該中央軸支部の外周部に設けられたことを特徴とするレジスタ。
【請求項２】
前記隙間閉鎖用リブは、前記軸支部と軸支部の間を閉じるように略三角形状に形成されたことを特徴とする請求項１記載のレジスタ。
【請求項３】
前記可動フィンが前記流路を閉鎖したとき、該可動フィンの隙間を閉じるための隙間閉鎖用凸部が、該各可動フィンの元部近傍に設けられたことを特徴とする請求項１記載のレジスタ。
【請求項４】
前記ベベルギヤ機構として、中央軸部及び中央嵌合穴を有するベベルギヤ部材が設けられ、前記中央軸支部は、該ベベルギヤ部材の該中央嵌合穴に嵌合部を嵌入して取り付けられ、該ベベルギヤ部材の前部の中央軸部には前記操作部が嵌着され、該ベベルギヤ部材の該中央嵌合穴の周囲に、該中央軸支部の該嵌合部の外周に接触して支持する支持用リブが設けられ、該操作部を操作して該中央軸支部を、前記ボールジョイントを中心に傾動させたとき、該中央軸支部の外周部の隙間閉鎖用リブが該支持用リブに当接することを特徴とする請求項１記載のレジスタ。
【請求項５】
前記中央軸支部は、硬質合成樹脂により略円筒状に成形され、ボール穴を有する軟質弾性軸受部が該中央軸支部の内側に嵌着され、該中央軸支部の外周部に前記可動フィンの支軸を軸支する軸支部が設けられたことを特徴とする請求項４記載のレジスタ。
【発明の詳細な説明】
【技術分野】
【０００１】
本発明は、主に自動車などの空調装置の空気吹出調整用に使用されるレジスタに関し、特に円筒状のリテーナと略円形の空気吹出口を有する丸型のレジスタに関する。
【背景技術】
【０００２】
従来、円形の空気吹出口を有する丸型のレジスタとして、円筒フレーム内に送風方向に沿った中心軸の回りで回動可能な丸型の回動ルーバーを備えたレジスタが、下記特許文献１などにより知られている。
【先行技術文献】
【特許文献】
【０００３】
【特許文献１】実公平３−２７２３７号公報
【発明の概要】
【０００４】
このレジスタは、内側に球面を有する円筒形の外枠を有し、その外枠の内側に、外側球面を有する内枠を、回動及び傾動可能に嵌め込み、内枠内には４枚の可動羽根を中心軸の周囲に放射状に配置した回動ルーバーが配設され、回動ルーバーの各可動羽根は、内枠のラジアル方向の支軸の回りで回動可能に軸支されて構成される。
【０００５】
さらに、このレジスタは、中心軸の末端及び各可動羽根の支軸の内側端にベベルギヤが設けられ、中心軸の末端に設けたベベルギヤと各可動羽根のベベルギヤが噛合し、中心軸の先端に設けた摘みを回すと、ベベルギヤを介して各可動羽根がその支軸を軸に回動する構造となっている。
【０００６】
レジスタの使用時、中心軸先端の摘みを回すと、ベベルギヤを介して４枚の可動羽根がラジアル方向の支軸を中心に回動し、４枚の可動羽根が送風方向と平行な場合、レジスタの空気吹出口から送風される風が、可動羽根によって、中央に収束されるが、４枚の可動羽根が各支軸を軸に傾動すると、送風される空気流は空気吹出口の周囲に拡散するように流れる。さらに、各可動羽根を流路の横断面と平行な状態まで回動させた場合、４枚の可動羽根がレジスタの流路を遮断し送風を止めるようになっている。
【発明が解決しようとする課題】
【０００７】
しかし、この従来のレジスタは、可動羽根を流路の横断面と平行な状態まで回動させて流路を閉鎖した際、可動羽根の外周縁部と円筒外枠の内周部との間に、隙間が生じやすく、製品ごとの各部品寸法の公差内誤差によりその隙間が大きく生じた場合、閉鎖時に空気流が隙間から漏れて送風され、流路閉鎖時の風漏れが課題となっていた。【０００８】
本発明は、上述の課題を解決するものであり、回動ルーバーの可動フィンにより流路を閉鎖したときの風漏れをなくすことができる丸型のレジスタを提供することを目的とする。
【課題を解決するための手段】
【０００９】
上記目的を達成するために、本発明のレジスタは、
円筒型のリテーナ内に円筒フレームを有した回動ルーバーが回動可能に配設され、該回動ルーバーには送風方向と平行な中心線から放射状に複数の可動フィンが該円筒フレームの内側で放射状の支軸により回動可能に軸支されてなるレジスタにおいて、
該リテーナ内の送風方向と平行な中心線上に、ボールを有するボールジョイントが配設され、該回動ルーバーには、該円筒フレームの中央に、複数の軸支部を放射状に設けた中央軸支部が配設され、該中央軸支部は、中央に設けたボール穴を該ボールに嵌合させて、傾動及び回動可能に取り付けられ、
該円筒フレームの内側に複数の可動フィンが、略等間隔をおいてラジアル方向の支軸により回動可能に軸支されるとともに、該各可動フィンの内側部分が該中央軸支部の各軸支部に軸支され、
該中央軸支部の前面側中央には操作部が該回動ルーバーの中心線の回りで回動可能に装着され、該操作部はベベルギヤ機構を介して該各可動フィンの内側部分と連係され、
該円筒フレームの内側にフィン当て縁部が内周に沿って設けられ、
該操作部を該円筒フレームのラジアル方向に動かしたとき、該回動ルーバーは前記ボールジョイントの該ボールを中心に傾動し、該操作部を前記中心線の回りで回動操作したとき、該可動フィンが該ベベルギヤ機構を介して、該中央軸支部の外周部の該軸支部を中心に回動し、該可動フィンを流路の閉鎖状態まで回動させたとき、該可動フィンの外周縁部が該円筒フレームの該フィン当て縁部に当接し、
該可動フィンが該流路を閉鎖したとき、隙間を閉じるための隙間閉鎖用リブが、該中央軸支部の外周部に設けられたことを特徴とする。
【００１０】
この発明のレジスタによれば、回動ルーバーの中央の操作部を持って回動ルーバーを任意の方向に傾動操作したとき、回動ルーバーは、中央に支持されたボールジョイントのボールを中心に傾動するので、安定した滑らかな操作フィーリングで、回動ルーバーを傾動させて風向を変えることができる。【００１１】
また、回動ルーバーの可動フィンが流路の閉鎖位置まで回動したとき、可動フィンの外周縁部が円筒フレームの内側のフィン当て縁部に当接するので、可動フィンと円筒フレームの内周部間に生じやすい隙間を閉鎖することができ、回動ルーバーを閉鎖操作した時の風漏れを最小にすることができる。【００１６】
ここで、上記レジスタにおいて、上記可動フィンが上記流路を閉鎖したとき、隙間を閉じるための隙間閉鎖用リブは、上記軸支部の間を閉じるように、略三角形状に形成することができる。さらに、上記回動ルーバーの各可動フィンの元部近傍に、隙間閉鎖用凸部を設けることができる。これによれば、回動ルーバーの可動フィンの閉鎖操作により、可動フィンが流路を閉鎖したとき、中央軸支部の外周部に生じやすい隙間を隙間閉鎖用リブが閉鎖し、さらに、可動フィンの元部近傍に生じやすい隙間を隙間閉鎖用凸部が閉鎖して、風漏れを一層少なくすることができる。
【００１７】
さらに、上記ベベルギヤ機構として、中央軸部及び中央嵌合穴を有するベベルギヤ部材が設けられ、上記中央軸支部は、該ベベルギヤ部材の該中央嵌合穴に嵌合部を嵌入して取り付けられ、該ベベルギヤ部材の前部の中央軸部には前記操作部が嵌着され、該ベベルギヤ部材の該中央嵌合穴の周囲に、該中央軸支部の該嵌合部の外周に接触して支持する支持用リブを設け、該操作部を操作して該中央軸支部を、前記ボールジョイントを中心に傾動させたとき、該中央軸支部の外周部の隙間閉鎖用リブが該支持用リブに当接するように構成することができる。これによれば、操作部を操作して上記回動ルーバーを、上記ボールジョイントを中心に傾動させ、最大制限角度まで傾動させて停止したとき、中央軸支部を傾動させる傾動荷重は支持用リブによって確実に支持され、傾動操作時などに操作部が不安定に傾くなどの不具合をなくすことができる。【００１８】
また、上記レジスタにおいて、上記中央軸支部は、硬質合成樹脂により略円筒状に成形され、ボール穴を有する軟質弾性軸受部が該中央軸支部の内側に嵌着され、該中央軸支部の外周部に前記可動フィンの支軸を軸支する軸支部を設けることができる。これによれば、中央軸支部内の軟質弾性軸受部とボールジョイントのボールとの間に適度な摩擦抵抗を生じさせ、適正な操作荷重を操作部に傾動操作時に付与することができ、さらに中央軸支部の各軸支部では可動フィンの支軸を緻密に軸支して、寸法公差などに伴う軸支部のがたつきをなくすことができる。
【発明の効果】
【００１９】
本発明のレジスタによれば、回動ルーバーの可動フィンを回動操作して、流路を可動フィンにより閉鎖したとき、隙間なく流路を閉じて、風漏れをなくすことができる。
【図面の簡単な説明】
【００２０】
【図１】本発明の一実施形態を示すレジスタの正面図である。
【図２】同レジスタの斜視図である。
【図３】同レジスタの左側面図である。
【図４】図１のIV-IV断面図である。
【図５】図１のV-V断面図である。
【図６】図１のVI-VI断面図である。
【図７】図１のVII-VII断面図である。
【図８】レジスタの回動ルーバーの分解斜視図である。
【図９】リテーナとベゼルの分解斜視図である。
【図１０】回動ルーバーの可動フィン近傍の分解斜視図である。
【図１１】ベベルギヤ機構のベベルギヤ部材の斜視図である。
【図１２】回動ルーバーの可動フィンの分解斜視図である。
【図１３】中央軸支部の正面図である。
【図１４】中央軸支部の中央縦断面図である。
【図１５】中央軸支部の斜視図である。
【図１６】操作部、円筒フレーム、及びベベルギヤ部材等の分解側面図である。
【図１７】（ａ）は可動フィンの側面図、（ｂ）は可動フィンの斜視図である。
【図１８】（ａ）は後円筒フレームの斜視図、（ｂ）は同後円筒フレームの正面図である。
【図１９】（ａ）は回動ルーバーを閉鎖した状態のベベルギヤ機構近傍の正面図、（ｂ）は同背面図である。
【図２０】回動ルーバーを閉鎖した状態の後円筒フレームとベベルギヤ機構近傍の正面図である。
【図２１】回動ルーバーを閉鎖した状態のレジスタの正面図である。
【図２２】（ａ）は回動ルーバーを上に傾動したときの断面図、（ｂ）は回動ルーバーを下に傾動したときの断面図である。
【図２３】他の実施形態のレジスタを示し、回動ルーバーを上に傾動したときの断面図である。
【図２４】ベベルギヤ部材と中央軸支部の組付状態の拡大斜視図である。
【図２５】ベベルギヤ部材と中央軸支部の分解拡大斜視図である。
【図２６】ベベルギヤ部材と中央軸支部の組付状態の断面図である。
【発明を実施するための形態】
【００２１】
以下、本発明の一実施形態を図面に基づいて説明する。図１は自動車の車室内に設けられる空調装置用の丸型レジスタの正面図を示し、図２は同レジスタの斜視図を示し、図３はその左側面図を示している。なお、この明細書において、レジスタの前後は、図３に示す如く、操作部６側が前（Ｆ）であり、その背面側が後（Ｒ）を意味する。
【００２２】
このレジスタは、概略的には、図４等に示す如く、円筒型のリテーナ１内に円筒フレーム２０を有した回動ルーバー２が回動可能に配設され、回動ルーバー２には送風方向と平行な中心線Ｓ１から放射状に、５枚の可動フィン２３が、円筒フレーム２０の内側で放射状の軸支部４によって、回動可能に軸支され、円筒フレーム２０の中央に配置した操作部（ダイヤルノブ）６を上下左右に動かして回動ルーバー２を傾動させ、操作部６をその軸の回りで回動操作して可動フィン２３を回動させ、リテーナ１内には流路１５を開閉するように構成される。
【００２３】
レジスタの外殻を形成するリテーナ１内の後部には、図８、９に示すように、支持枠１２が放射状に設けられ、支持枠１２の中央部にボールジョイント支持部１１が設けられ、ボールジョイント支持部１１の軸方向に穿設された軸孔に、ボールジョイント８の軸部８２が嵌め込まれて取り付けられる。ボールジョイント８は、図４などに示すように、円筒フレーム２０と５枚の可動フィン２３を有した回動ルーバー２を、レジスタの中心線Ｓ１上で支持し、中心線Ｓ１を中心に上下左右等に傾動可能に支持する構造となっている。
【００２４】
図９に示す如く、リテーナ１の前部外周部には、ベゼル９を嵌着するために、複数の係止部１３が設けられ、係止部１３にはベゼル９の係止爪９ａが係止される。ベゼル９は、円環状に形成されてその円形開口部が空気吹出口９ｂを形成し、内側に回動ルーバー２を回動及び傾動可能に配設した状態で、リテーナ１の前部に嵌着される。
【００２５】
リテーナ１及びベゼル９内に配設される回動ルーバー２は、図１０に示すように、円筒フレーム２０内に５枚の可動フィン２３を放射状に配設し、円筒フレーム２０の前円筒フレーム２１の中央に操作部（ダイヤルノブ）６を回動可能に軸支し、操作部６の回動操作に応じて、５枚の可動フィン２３を、放射状の軸支部４の回りで回動させるとともに、各可動フィン２３をその放射状の支軸２４、２７を中心に傾動させるように構成される。円筒フレーム２０は、図１０，１６に示す如く、回動ルーバー２を内部に組み付けた状態で、前円筒フレーム２１の後部に後円筒フレーム２２を嵌め込み、係止爪２２ａを係止部２１ｄに係止させて嵌着される。
【００２６】
さらに、図１８に示すように、後円筒フレーム２２の内側前部には、フィン当て縁部２２ｃが５枚の可動フィン２３の外側縁部が当接する位置に設けられ、可動フィン２３が回動して流路１５を閉鎖したとき、可動フィン２３の外周縁部がフィン当て縁部２２ｃに当接し、隙間を埋める構造となっている。また、後円筒フレーム２２の外周後部には、その動きをガイドするとともに、円筒フレーム２０の傾動範囲を規制するために、ガイド凸部２２ｂが突設される。ガイド凸部２２ｂは、リテーナ１及びベゼル９の内周部軸方向に設けたガイド溝１ａ，９ｄ内に進入し、円筒フレーム２０の傾動動作とともに、ガイド溝１ａ内を移動する。円筒フレーム２０の傾動範囲は、図２２のように、その前円筒フレーム２１または後円筒フレーム２２の縁部が、リテーナ１またはベゼル９内の当接部に当たり、傾動が制限される。
【００２７】
回動ルーバー２の中央に位置する中央軸支部３には、図１３〜１５に示すように、その外周部に５個の軸支部４が等間隔（約７２°の角度間隔）で放射状に設けられ、各軸支部４には軸穴４２が設けられる。５枚の可動フィン２３の内側の支軸２７が、それらの軸支部４の各軸穴４２に回動可能に嵌入され、可動フィン２３は回動ルーバー２の円筒フレーム２０の内側に等間隔に配置され、軸支される。
【００２８】
回動ルーバー２の可動フィン２３は、開放操作時、図１，２，４のように、流路１５と平行状態となって流路を開放し、閉鎖操作時には、閉鎖方向の回動端である、リテーナ１内の流路１５（図５、６）の横断方向と平行状態まで回動し、５枚の可動フィン２３が円筒フレーム２０内の流路１５を全閉状態とするようになっている。
【００２９】
回動ルーバー２を回動及び傾動可能に支持するボールジョイント８は、図４，９に示す如く、リテーナ１内の送風方向と平行な中心線Ｓ１上で、ボールジョイント支持部１１にその軸部８２が保持され、リテーナ１内の中央に取り付けられる。ボールジョイント８は、図８，９、１６に示すように、軸部８２の前側先端にボール８１が設けられ、そのボール８１に、回動ルーバー２の中央に位置する中央軸支部３が、その中央のボール穴３２（図５、１６）を外嵌して、傾動及び回動可能に取り付けられる。
【００３０】
中央軸支部３は、熱可塑性エラストマーなどの高分子弾性体から一体成形され、図１３〜図１５に示すように、その後端部に設けたボール穴３２及びその外周部に等角度間隔で放射状に配設した軸支部４の軸穴４２は、ボールジョイント８のボール８１及び５枚の可動フィン２３の内側の支軸２７を、良好な操作荷重を付与しつつ、回動可能に支持する構造となっている。高分子弾性体からなる中央軸支部３の中央のボール穴３２には、ボールジョイント８のボール８１が外嵌され、中央軸支部３の外周部に放射状に設けた５個の軸支部４には、５枚の可動フィン２３の内側の支軸２７が各々回動可能に枢着される。
【００３１】
回動ルーバー２の５枚の可動フィン２３は、図４、５、１０などに示す如く、円筒フレーム２０内に等間隔（約７２°の角度間隔）で配置され、各可動フィン２３の外側の支軸２４は、各々、図４に示すように、円筒フレーム２０の前円筒フレーム２１と後円筒フレーム２２との間に挟むように軸支され、内側の各支軸２７は上記中央軸支部３の外周部に等間隔（約７２°の角度間隔）で配置された各軸支部４の軸穴４２に、嵌入され、各可動フィン２３は、放射状の軸線の回りで回動可能に軸支される。
【００３２】
上記の如く、中央軸支部３は、高分子弾性体により一体成形されるので、ボールジョイント８のボール８１に対し、中央軸支部３のボール穴３２は適度な摩擦抵抗をもって回動可能に保持することができる。さらに、各可動フィン２３の内側の支軸２７は、中央軸支部３の軸支部４の軸穴４２に適度な摩擦抵抗をもって軸支され、中央軸支部３の前部に内側軸部５４を介して支持され操作部６の操作により回動するベベルギヤ部材５１は、中央軸支部３の軸穴３１ａとの間に適度な摩擦抵抗が生じ、これにより、調整可能な適正操作荷重を操作部６に付与することができる。図８、１０、１６に示すように、中央軸支部３の前部の中央軸３１には、軸穴３１ａが設けられ、ベベルギヤ部材５１の内側軸部５４がこの軸穴３１ａに回動可能に嵌入され、ベベルギヤ部材５１の前部の軸部５２には操作部６の軸部６１が嵌入される。
【００３３】
このため、使用者が操作部６を回して回動ルーバー２を開閉操作したとき、ベベルギヤ部材５１を回動させるとともに、可動フィン２３を支軸２４、２７の回りで回動させながら、適度な操作荷重を生じさせ、可動フィン２３を支軸２４、２７の回りで回動させることができる。さらに、図１８のように、操作部６を持って傾動操作または回動操作して回動ルーバー２の向きを変えるとき、ボール８１と中央軸支部３のボール穴３２間で、適度な操作荷重を生じさせて、回動ルーバー２を左右上下に振ることができるようになっている。
【００３４】
操作部６は、図４、８，１０などに示す如く、ダイヤルノブ状に形成され、回動ルーバー２の円筒フレーム２０の前部の格子部２１ａの中央に、回動操作可能に装着される。図８，１６のように、格子部２１ａの中央には、操作部保持部２１ｂが円形凹部として形成され、その操作部保持部２１ｂの中央に、挿入孔２１ｃが設けられる。その挿入孔２１ｃには前部から操作部６の軸部６１が挿入され、後部からはベベルギヤ部材５１の軸部５２が操作部６の軸部６１内に挿通され、その軸部５２に設けた係止爪５３が軸部６１の係止部６２に係止されて、操作部６とベベルギヤ部材５１が回動操作可能に連結されて、円筒フレーム２０の中央に取り付けられる。
【００３５】
図５，１０、１６に示す如く、操作部６が操作部保持部２１ｂ内に挿入され、且つその軸部６１が挿入孔２１ｃに挿入され、ベベルギヤ部材５１の係止爪５３が操作部６の軸部６１の係止部６２に係止されるので、操作部６をがたつきなく回動可能に取り付けることができ、操作部６の回動操作により、ベベルギヤ機構５のベベルギヤ部材５１が中央軸支部３に対し回動し、中央軸支部３の外周部に放射状に配置された各可動フィン２３を、その支軸２４，２７を軸に回動させる。なお、図３、４に示すように、操作部６はベゼル９の空気吹出口９ｂより少し前方に突出して設けられ、これにより、使用時、使用者は操作部６を容易に持って傾動操作または回動操作することができるようになっている。
【００３６】
ベベルギヤ機構５のベベルギヤ部材５１は、中央軸支部３の中央軸３１を軸にして回動し、図４，５に示すように、中央軸支部３から放射状にのびる各軸支部４に軸支された各可動フィン２３に内側端部に設けたベベルギヤ片２５がベベルギヤ部材５１と噛合する。このため、操作部６を回動操作すると、ベベルギヤ部材５１を介してベベルギヤ片２５が従動して回動し、回動ルーバー２の各可動フィン２３は、その支軸２４、２７を軸に回動する。つまり、ベベルギヤ機構５は、図１０に示すように、駆動側のベベルギヤ部材５１と従動側のベベルギヤ片２５とが噛合して構成され、駆動側のベベルギヤ部材５１はその中央に軸部５２が突設され、軸部５２は操作部６の中央に連結される。軸部５２は、前円筒フレーム２１の格子部２１ａの中央に設けた操作部保持部２１ｂの挿入孔２１ｃに挿通されて、回転可能に支持される。
【００３７】
また、ベベルギヤ機構５のベベルギヤ部材５１の後部（背面側）には、図１１、１６に示すように、内側軸部５４が内側に突設され、この内側軸部５４は、中央軸支部３の中央軸３１の軸穴３１ａ内に、回動可能に挿通される。さらに、ベベルギヤ部材５１の前部の軸部５２が、操作部６の軸部６１の軸穴内に嵌入され、軸部５２の係止爪５３が軸部６１の係止部６２に係止される。これにより、駆動側のベベルギヤ部材５１は中央軸支部３の中央軸３１に回動可能に支持されるとともに、操作部６の軸部６１と連結される。このように、ベベルギヤ部材５１の係止爪５３が操作部６の軸部６１の係止部６２に係止され、操作部６が操作部保持部２１ｂ内に挿入され、その軸部６１が挿入孔２１ｃに挿入されるので、操作部６は、回動ルーバー２の中央位置に、がたつきなく適度な操作荷重を持って回動可能に取り付けられる。
【００３８】
一方、回動ルーバー２の可動フィン２３は、図１０，１２に示すように、５枚のフィンから構成され、各可動フィン２３の内側部分には、駆動側のベベルギヤ部材５１と噛合する従動側のベベルギヤ片２５が一体成形され、その内側軸中心位置に、支軸２７が突設される。各可動フィン２３は、その内側に設けた内側の支軸２７を、中央軸支部３の軸支部４の軸穴４２に挿入して支持され、ベベルギヤ片２５はその前部に位置するベベルギヤ部材５１と噛合する。各可動フィン２３の回動範囲は約９０°に設定されるため、ベベルギヤ片２５は円環ホイール状に形成する必要はなく、図１２に示すように、約１８０°の角度範囲つまり略半円形の歯部として形成される。上記構成の回動ルーバー２は、その中央の操作部６を持って、回動ルーバー２を上下左右任意の方向に傾動操作すれば、図２２の如く、ボールジョイント８のボール８１を中心に、任意の方向に傾動または回動することができる。
【００３９】
上記の如く、回動ルーバー２は、５枚の可動フィン２３を有して構成され、中央軸支部３の外周部に軸支部４を放射状に設け、各軸支部４の軸穴４２に、各可動フィン２３の内側の支軸２７を嵌入支持させて、円筒フレーム２０の内側に５枚の可動フィン２３が、略等間隔（約７２度の角度間隔）で放射状に、回動可能に配置される。そして、各可動フィン２３は、そのラジアル方向外側に突設された支軸２４を円筒フレーム２０の前円筒フレーム２１と後円筒フレーム２２間に挟持させる。これにより、各可動フィン２３は中央軸支部３の外周方向に放射状にのびる内側と外側の支軸２４、２７を軸に回動可能に軸支される。
【００４０】
このような回動ルーバー２は、各可動フィン２３をその支軸２４、２７の回りで所定角度まで回動させたとき、その回動端で可動フィン２３のフィン本体２６が円筒フレーム２０の横断面と略平行状態となって、流路１５を閉鎖する。そのために、５枚の可動フィン２３のフィン本体２６は、流路１５の通風方向と直角な横断面に並置状態となってとき、全閉可能な形状及び大きさに形成される。
【００４１】
つまり、回動ルーバー２が、５枚の可動フィン２３を通風方向と直角な横断面と平行な状態まで回動させたとき、流路１５を全閉状態とする形状及び大きさに可動フィン２３は形成される。回動ルーバー２は、５枚の可動フィン２３を並置するため、４枚の可動フィンの場合より、可動フィン２３のフィン本体２６の大きさを小形化することができる。これにより、回動ルーバー２は、上下左右等への傾動時、可動フィン２３をボールジョイント８に干渉させずに、所定の最大角度まで傾動することができる。
【００４２】
しかも、回動ルーバー２の可動フィン２３を５枚とした場合、各可動フィン２３をその支軸２４、２７を軸に回動させて送風を拡散させたとき、従来のように４枚の可動フィンを配設した回動ルーバーの場合より、送風時の風の拡散は、より高い効率で行なわれ、空気吹出口の周囲に、効率良く拡散されたマイルドな風を送風できるようになっている。
【００４３】
さらに、上記のように、可動フィン２３の小形化に伴い、可動フィン２３が流路１５の軸方向（送風方向）と平行になった状態の軸方向の長さを短くすることができる。このため、リテーナ１の長さを、従来の４枚の可動フィンのレジスタより、短くすることができ、これにより、レジスタの設置スペースを省スペース化することができるようになっている。
【００４４】
ところで、回動ルーバー２の５枚の可動フィン２３は、操作部６を回動操作して流路１５を閉じる操作をしたとき、図１２，１７、１９〜２１に示す如く、中心線Ｓ２と垂直な状態、つまり通風方向と直角な横断面と平行な状態まで回動させたとき、流路１５を閉鎖する。そのために、各可動フィン２３は、円形の流路１５を５枚の可動フィン２３で覆い得る形状に形成されるが、可動フィンの縁部近傍などで微妙な隙間が生じやすく、風漏れが発生しやすい。このため、後円筒フレーム２２の内側前部には、フィン当て縁部２２ｃが５枚の可動フィン２３の外側縁部が当接可能な位置の外周に沿って設けられる。操作部６を回動操作して、可動フィン２３が回動し流路１５を閉鎖したとき、可動フィン２３の外周縁部がフィン当て縁部２２ｃに当接し、可動フィン２３の外周部と円筒フレーム２０の内側面との隙間を埋めるようになっている。
【００４５】
さらに、可動フィン２３のフィン本体２６の元部には、図１２、１７に示す如く、隙間閉鎖用凸部２８が突設され、可動フィン２３を閉鎖位置まで回動させて、流路１５を閉鎖したときのフィン元部近傍に発生しやすい隙間を閉鎖するようにしている。つまり、図１９に示す如く、操作部６の回動操作により可動フィン２３を閉鎖位置まで回動させたとき、可動フィン２３のフィン本体２６の元部近傍とそれに隣接する可動フィン２３のフィン本体２６の元部近傍との間の隙間を閉じるように、各可動フィン２３のフィン本体２６の元部に、隙間閉鎖用凸部２８が設けられている。
【００４６】
加えて、回動ルーバー２の中央に位置する中央軸支部３の外周部には、５個の軸支部４が放射状に突設されるが、図１３に示す如く、それらの軸支部４と軸支部４の間の空間つまり隙間を埋めるように、隙間閉鎖用リブ４１が中央軸支部３の外周部に設けられる。これらの隙間閉鎖用リブ４１は、軸支部４と軸支部４の間の隙間を埋めるために略三角形状に形成され、図１９に示すように、可動フィン２３を閉鎖位置まで回動させたとき、中央軸支部３の各軸支部４と各可動フィン２３の隙間を閉じる形状となっている。
【００４７】
上記構成により、駆動側のベベルギヤ部材５１が操作部６により回動したとき、従動側の各ベベルギヤ片２５が軸支部４を中心に約９０°の範囲で回転し、これにより可動フィン２３が、軸支部４の回りで、回動ルーバー２の中心線Ｓ２と平行な状態から中心線Ｓ２と垂直な垂直面と平行な状態まで回動し、図１９〜２１に示すように、流路１５が閉鎖される。このとき、回動ルーバー２の可動フィン２３の外周部の隙間は、フィン当て縁部２２ｃにより閉鎖され、可動フィン２３の元部近傍の隙間は、フィン本体２６に設けた隙間閉鎖用凸部２８と軸支部４と軸支部４との間に設けた隙間閉鎖用リブ４１により良好に閉じられる構造となっている。
【００４８】
上記構成の回動ルーバー２を組み立てる場合、図１０，１６に示す如く、操作部６を前円筒フレーム２１の前部の操作部保持部２１ｂ内に挿入しながら、その軸部６１を挿入孔２１ｃに挿入し、前円筒フレーム２１の後部側からベベルギヤ部材５１の軸部５２を、操作部６の軸部６１内に差し込み、その係止爪５３を係止部６２に係止させる。これにより、操作部６及びベベルギヤ部材５１は前円筒フレーム２１の中央軸線位置に、確実に回動可能に組み付けられ、操作部６にがたつきが生じたりベベルギヤ部材５１が外れる不具合は防止される。
【００４９】
次に、中央軸支部３の外周部の軸支部４に、５枚の可動フィン２３を放射状に保持させるように、内側の支軸２７を軸穴４２に挿入し、中央軸支部３の中央軸３１の軸穴３１ａをベベルギヤ部材５１の内側軸部５４に嵌入する。その状態で、５枚の可動フィン２３の外側の支軸２４を、前円筒フレーム２１と後円筒フレーム２２間の軸受部で挟み込み軸支するようにして、前円筒フレーム２１と後円筒フレーム２２を嵌合させ、その係止爪２２ａと係止部２１ｄを係止させる。
【００５０】
この状態で、５枚の可動フィン２３の元部に設けたベベルギヤ片２５は中央のベベルギヤ部材５１と噛合した状態となり、操作部６を回動操作すると、ベベルギヤ部材５１が中央軸支部３に対し回動し、その回動力がベベルギヤ片２５を介して５枚の可動フィン２３に伝達されて可動フィン２３が支軸２４，２７を軸に回動し、円筒フレーム２０内の流路が開閉される。
【００５１】
このように組み立てられた回動ルーバー２に対し、ボールジョイント８のボール８１を中央軸支部３の後部のボール穴３２に嵌入し、その状態で、図８、９，１６に示す如く、ボールジョイント８の軸部８２を、リテーナ１内のボールジョイント支持部１１内に差し込み、ベゼル９を回動ルーバー２の前部を覆うように、リテーナ１の前部に嵌め込む。このとき、円筒フレーム２０の後円筒フレーム２２の外周部に突設されたガイド凸部２２ｂは、リテーナ１の前部内周部に設けたガイド溝１ａ（図９）に進入し、さらにガイド凸部２２ｂはベゼル９のガイド溝９ｄ（図４）にも進入可能となる。リテーナ１の係止部１３にベゼル９の係止爪９ａが係止され、レジスタの組立てが完了する。
【００５２】
なお、このレジスタは、円筒フレーム２０と可動フィン２３を設けた回動ルーバー２が、リテーナ１内に、ボールジョイント８によって回動可能に収納支持され、その前部にベゼル９が嵌着され、回動ルーバー２の円筒フレーム２０は、リテーナ１内で、その外周面とリテーナ１の内周面との間に僅かな隙間をもって、非接触で回動可能に支持される。このため、回動ルーバー２を傾動操作する際、スムーズに傾動させることができるが、送風時、円筒フレーム２０の外周面とリテーナ１の内周面との間に生じる僅かな隙間に、漏れ空気流が流れる場合がある。このような場合には、図５，７に示す如く、必要に応じて、後円筒フレーム２２の外周面とリテーナ１の内周面との隙間に、不織布シート２９を介装すれば、漏れ空気流を一層低減することができる。
【００５３】
上記構成のレジスタは、例えば自動車のインストルメントパネルに設けられた空調装置の空気吹出口等に装着して使用される。レジスタの送風方向を変える場合、操作部６を持って回動ルーバー２を傾動操作或いは回動操作して行なう。操作部６はダイヤル状に形成され且つベゼル９の空気吹出口９ｂより少し前方に突出して配設されるため、使用者は容易に操作部６を持って傾動操作或いは回動操作が可能である。
【００５４】
図２，４に示すように、回動ルーバー２がレジスタの正面前方に真直ぐな状態にあるとき、つまり、回動ルーバー２の可動フィン２３が流路１５の軸方向に沿った中心線Ｓ２と平行な状態にあるとき、空気流は回動ルーバー２の可動フィン２３にガイドされて前方に真直ぐ送風され、このとき、前方の比較的狭い範囲に集中して送風が行なわれる。
【００５５】
一方、空気吹出口９ｂの前方の周囲における比較的広い範囲に、拡散して送風する場合、操作部６を持って中心線Ｓ２を軸に捻るように右または左に回す。
【００５６】
このとき、操作部６の回動力はベベルギヤ機構５の軸部５２を介してベベルギヤ部材５１に伝達され、ベベルギヤ部材５１が回転し、その回転がベベルギヤ部材５１と噛合する５枚の可動フィン２３のベベルギヤ片２５に伝達され、５枚の可動フィン２３はその支軸２４、２７を軸に回動し、各可動フィン２３のフィン本体２６が流路１５の横断面に沿ったラジアル方向の軸の回りで、前後に傾くように回動する。
【００５７】
これにより、空気流は、回動ルーバー２を通過する際、回動ルーバー２の中心線Ｓ２の回りで旋回するように周囲に広って送風され、空気吹出口９ｂの周囲に拡散するように送風される。またこのとき、送風は空気吹出口の内側に配置された５枚の可動フィン２３により、周囲にガイドされて拡散されるので、従来の４枚の可動フィンの場合に比べ、よりマイルドな風を送風することができる。
【００５８】
一方、送風を遮断する場合には、操作部６をさらに右または左に回動端まで回す。これにより、回動ルーバー２の各可動フィン２３は、図１９に示すように、支軸２４、２７を軸に、中心線Ｓ１，Ｓ２と垂直な垂直面と平行な状態（流路の遮断状態）まで回動し、これによって流路１５は全閉状態となり、送風は遮断される。
【００５９】
このとき、回動ルーバー２の可動フィン２３の外周部の隙間は、可動フィン２３の外周縁部がフィン当て縁部２２ｃに当たることより閉鎖され、可動フィン２３の元部近傍の隙間は、図１９，２０に示す如く、フィン本体２６に設けた隙間閉鎖用凸部２８と軸支部４と軸支部４との間に設けた隙間閉鎖用リブ４１により良好に閉じられることとなる。したがって、流路１５の閉鎖時の風漏れを最小にすることができる。
【００６０】
一方、風向を斜め上方に向ける場合、操作部６を持って持ち上げるように操作すると、図２２（ａ）のように、操作部６を含む回動ルーバー２がボールジョイント８のボール８１を中心に上側に回動（傾動）し、リテーナ１の中心線Ｓ１に対し回動ルーバー２の中心線Ｓ２が図２２（ａ）のように上側に傾斜し、これにより、送風方向は斜め上方に向けられる。同様に、風向を斜め下上方に向ける場合、操作部６を持って下げるように操作すると、図２２（ｂ）のように、操作部６を含む回動ルーバー２がボールジョイント８のボール８１を中心に下側に回動（傾動）し、リテーナ１の中心線Ｓ１に対し回動ルーバー２の中心線Ｓ２が図２２（ｂ）のように下側に傾斜し、送風方向は斜め下方に向けられる。このように、操作部６を上下或いは左右等と任意の方向に傾動操作することにより、風向を任意の方向に向けることができる。
【００６１】
このとき、回動ルーバー２の操作部６による傾動操作及び回動操作は、高分子弾性体製の中央軸支部３を介して行なわれ、傾動操作時、回動ルーバー２はボールジョイント８のボール８１の周面を中央軸支部３のボール穴３２が摺動して傾動するので、がたつきなく適度な操作荷重（摩擦抵抗）を生じさせ、滑らかな操作フィーリングをもって、傾動操作することができる。
【００６２】
また、操作部６を回動操作した際、ベベルギヤ部材５１が回動し、その回動力がベベルギヤ片２５を介して５枚の可動フィン２３に伝達され、各可動フィン２３はその支軸２４，２７を軸に回動するが、ベベルギヤ部材５１はその内側軸部５４を中央軸支部３の中央軸３１の軸穴３１ａに摺接させて回動し、可動フィン２３の支軸２７は中央軸支部３の軸支部４の軸穴４２内を摺接して回動するので、この場合も、がたつきなく適度な操作荷重（摩擦抵抗）を生じさせ、滑らかな操作フィーリングをもって、回動操作することができる。
【００６３】
一方、上記のように回動ルーバー２を傾動させた状態で、さらに操作部６を中心線Ｓ２の回りで回動操作すると、上記と同様、操作部６の回動力がベベルギヤ機構５の軸部５２を介してベベルギヤ部材５１に伝達され、ベベルギヤ部材５１が回転し、その回転がベベルギヤ部材５１と噛合する５枚の可動フィン２３のベベルギヤ片２５に伝達され、５枚の可動フィン２３はその支軸２４、２７を軸に回動する。これにより、回動ルーバー２を通過する空気流は、中心線Ｓ２に沿って集中して送風される状態から、回動ルーバー２の中心線Ｓ２の回りで旋回するように周囲に拡散する状態まで変化し、上記と同様に、送風状態を集中状態から拡散状態まで変えるように調整することができる。そして、操作部６を閉鎖方向に限界まで回動操作すると、図１９，２０に示すように、５枚の可動フィン２３が流路１５を完全に閉鎖する状態まで回動して、流路１５は閉鎖される。
【００６４】
このように、回動ルーバー２の中央の操作部６を持って回動ルーバー２を任意の方向に傾動操作したとき、回動ルーバー２は、中央に支持されたボールジョイント８のボール８１を中心に中央軸支部３を介して傾動するので、安定した滑らかな操作フィーリングで、回動ルーバーを傾動させて風向を変えることができ、操作部６を回動端まで回動操作した場合、後円筒フレーム２２の内側に設けたフィン当て縁部２２ｃ、フィン本体２６に設けた隙間閉鎖用凸部２８、及び中央軸支部３の軸支部４間の隙間閉鎖用リブ４１により良好に閉じられ、流路１５の閉鎖時の風漏れを最小にすることができる。
る。
【００６５】
図２３〜図２６は、他の実施形態のレジスタを示している。この実施形態のレジスタでは、中央軸支部１０３が、硬質合成樹脂により成形された軸支部１０４と、軸支部１０４の内側に嵌入されるシリコーンゴム等の高分子弾性体製の軟質弾性軸受部１３０とから、分割形成される。また、ベベルギヤ部材１５１の歯部側の中央嵌合穴１５６の周囲に、支持用リブ１５５が設けられ、中央軸支部１０３とベベルギヤ部材１５１を結合したとき、支持用リブ１５５が中央軸支部１０３の隙間閉鎖用リブ１４１に当接して嵌合部１３４を確実に支持する構造である。なお、上記実施形態と同様の部分については、図に上記と同じ符号を付してその説明を省略する。
【００６６】
回動ルーバー２は、上記と同様、リテーナ１及びベゼル９内に円筒フレーム１２０を配設し、円筒フレーム１２０内に５枚の可動フィン２３を放射状に配設し、それらの可動フィン２３の内側の支軸２７を中央軸支部１０３の軸支部１０４で回動可能に軸支して構成される。図２３に示すように、円筒フレーム１２０の前円筒フレーム１２１の中央に操作部（ダイヤルノブ）１０６が回動可能に軸支され、操作部１０６の回動操作に応じて、ベベルギヤ機構のベベルギヤ部材１５１とベベルギヤ片２５を介して、放射状の軸支部１０４で軸支される５枚の可動フィン２３を、各々の支軸２４、２７を中心に回動させ、流路１５を開閉する。
【００６７】
円筒フレーム１２０は、回動ルーバー２を内部に組み付けた状態で、前円筒フレーム１２１の後部に後円筒フレーム１２２を嵌め込み、係止爪を係止部に係止させ、前円筒フレーム１２１と後円筒フレーム１２２を嵌合させて構成される。図２３に示すように、前円筒フレーム１２１の前部内周部には、絞り湾曲面１２１ａが形成され、この絞り湾曲面１２１ａにより、円筒フレーム１２０内の流路を通過する風が適度に絞られ、送風時の風の指向性を向上させるようになっている。
【００６８】
さらに、後円筒フレーム１２２の外周前部に、フィン当て縁部が５枚の可動フィン２３の外側縁部が当接する位置に設けられ、可動フィン２３が流路１５を閉鎖したとき、可動フィン２３の外周縁部がフィン当て縁部に当接し、隙間を埋める構造である。
【００６９】
また、後円筒フレーム２２の外周後部には、ガイド凸部１２２ｂが突設される。ガイド凸部１２２ｂは、リテーナ１及びベゼル９の内周部軸方向に設けたガイド溝１ａ、９ｄ内に移動可能に進入し、円筒フレーム１２０が傾動操作されたとき、ガイド凸部１２２ｂがガイド溝１ａ、９ｄ内を移動し、回動ルーバー２の傾動をガイドする。ガイド凸部１２２ｂには、高分子弾性体などからなるゴム状弾性を有する弾性リング１２２ｄが外嵌され、傾動操作時に、ガイド凸部１２２ｂがガイド溝１ａ，９ｄ内の縁部に当接したときの衝撃を緩衝するようになっている。また、ガイド溝１ａ，９ｄ内のガイド凸部１２２ｂは、回動ルーバー２の中央の操作部１０６を回して可動フィン２３を開閉操作したとき、ガイド溝１ａ，９ｄ内に保持されて、円筒フレーム１２０の回転を止めるようにも作用する。
【００７０】
さらに、円筒フレーム１２０は、それを上下に傾動操作したとき、最大傾動角度で、図２３のように、先ず、中央軸支部１０３の後部の開口縁部が、ボールジョイント１０８の軸部１８２に当接し、次に、前円筒フレーム１２１または後円筒フレーム１２２の縁部が、リテーナ１またはベゼル９内の当接部９ｃに当たり、回動（傾動）を停止する構造となっている。
【００７１】
さらに、図２３に示すように、リテーナ１内の支持枠１２の中央にボールジョイント支持部１１が設けられ、ボールジョイント支持部１１にボールジョイント１０８が下流側を向けて取り付けられる。ボールジョイント１０８の下流側の先端に位置するボール１８１に、回動ルーバー２の中央軸支部１０３が自在回動可能に外嵌される。図２３に示すように、ボールジョイント１０８は、軸部１８２の先端にボール１８１を設けて、合成樹脂により成形される。
【００７２】
なお、ボール１８１は、縦方向円周面を円周平坦面として形成し、球面の一部円周面を、円柱外周面とするように形成することができる。これにより、ボールジョイント１０８を成形型で成形する際、成形型のパーティングラインが円周平坦面上に現れるように成形し、ボール１８１が軟質弾性軸受部１３０のボール穴１３２の内周面と摺接する摺動面において、成形型のパーティングラインが摺動面の摩擦抵抗に悪影響を与えないようにすることができる。
【００７３】
中央軸支部１０３は、図２４〜２６に示す如く、硬質合成樹脂により略円筒状に成形され、その外周部に５個の軸支部１０４が等角度間隔で円周上に設けられる。中央軸支部１０３の内側には高分子弾性体製の軟質弾性軸受部１３０が嵌着される。軟質弾性軸受部１３０の前部には軸穴１３１が形成され、その後部にはボール穴１３２に形成される。軟質弾性軸受部１３０は中央軸支部１０３内に嵌着された状態で、そのボール穴１３２にボールジョイント１０８先端のボール１８１が嵌入される。軟質弾性軸受部１３０の前部の軸穴１３１にはベベルギヤ部材１５１の内側軸部１５４が嵌入され、ベベルギヤ部材１５１は中央軸支部１０３及び軟質弾性軸受部１３０に対し回動可能に取り付けられる。
【００７４】
軸支部１０４は、５個の軸支箇所が等間隔（約７２°の角度間隔）で放射状に設けられ、各軸支箇所には軸穴１４２が設けられる。さらに、軸支部１０４の前部には、図２５のように、略円筒形の嵌合部１３４が突設される。ベベルギヤ部材１５１はその背面側に環状の歯部を配置し、歯部の内側に中央嵌合穴１５６を設けるとともに中央嵌合穴１５６の内側に内側軸部１５４を設けて構成される。
【００７５】
中央軸支部１０３は、その嵌合部１３４を内側軸部１５４の外周に設けた中央嵌合穴１５６に、回動可能に嵌入して結合される。ベベルギヤ部材１５１の前部には、中央軸部１５２が操作部１０６を嵌着するために設けられ、操作部１０６の内側に突設された嵌合部１６２にこの軸部１５２が嵌合され、操作部１０６はベベルギヤ部材１５１と一体となるように取り付けられる。ベベルギヤ部材１５１の中央軸部１５２には係止爪１５３が設けられ、操作部１０６を図２３のように軸部１５２に嵌め込む際、係止爪１５３が操作部１０６の係止部に係止されるようになっている。
【００７６】
さらに、中央軸支部１０３の軸支部１０４の各軸穴１４２には、５枚の可動フィン２３の内側の支軸２７が、回動可能に嵌入される。可動フィン２３は回動ルーバー２の円筒フレーム１２０の内側に等間隔に配置され、その内側の支軸２７を軸支部１０４の各軸穴１４２に軸支させ、その外側の支軸２４を円筒フレーム１２０に軸支させ、回動可能に支持される。
【００７７】
上記のように、軸支部１０４は硬質合成樹脂で成形され、その内側にボール穴１３２を有する軟質弾性軸受部１３０が嵌着されるため、回動ルーバー２の傾動操作時、軟質弾性軸受部１３０とボール１８１間の摩擦抵抗により適度な操作荷重を付与して良好な操作フィーリングを図りつつ、硬質合成樹脂の軸支部１０４により、可動フィン２３の支軸２７をがたつきなく緻密に嵌め込み軸支することができる。
【００７８】
つまり、軸支部１０４を有する中央軸支部１０３がその内側の軟質弾性軸受部１３０とは異なって硬質合成樹脂で成形されるので、硬質合成樹脂の硬度や潤滑性などを適正に選択して、支軸２７と軸支部１０４を緻密に嵌合させ、内側の軟質弾性軸受部１３０の作用によって回動ルーバー２の傾動操作時に、適度な操作荷重を付与することができる。これにより、可動フィン２３内側の支軸２７をがたつきなく精確に軸支し、回動ルーバー２の開閉操作時や傾動操作時に、優れた操作フィーリングを発揮することができる。
【００７９】
ボールジョイント１０８は、上記と同様、そのボールジョイント支持部１１がリテーナ１内の支持枠１２の中央に下流側を向けて取り付けられ、その先端のボール１８１上に軟質弾性軸受部１３０を介して軸支部１０４が自在回動可能に外嵌される。円筒フレーム１２０と５枚の可動フィン２３を有した回動ルーバー２は、各可動フィン２３の内側の支軸２７を軸支部１０４の軸穴１４２に嵌め込み、軸支し、これにより、レジスタの中心線Ｓ１上で５枚の可動フィン２３を回動可能に支持し、中心線Ｓ１を中心に上下左右に傾動可能とされる。
【００８０】
回動ルーバー２の５枚の可動フィン２３は円筒フレーム１２０の内側に等間隔で放射状に配置され、それら外側の各支軸２４は、円筒フレーム１２０の前円筒フレーム１２１と後円筒フレーム１２２の間に挟持される軸受部で支持される。５枚の可動フィン２３の各支軸２７は、上記のように、軸支部１０４の外周部に放射状に設けた各軸穴１４２に嵌入されて回動可能に軸支される。
【００８１】
さらに、回動ルーバー２の中央に位置する中央軸支部１０３の外周部には、５個の軸支部１０４が放射状に突設されるが、図２４に示す如く、それらの軸支部１０４と軸支部１０４の間の空間つまり隙間を埋めるように、隙間閉鎖用リブ１４１が中央軸支部１０３の外周部に設けられる。これらの隙間閉鎖用リブ１４１は、軸支部１０４と軸支部１０４の間の隙間を埋めるために略三角形状に形成され、可動フィン２３を閉鎖位置まで回動させたとき、中央軸支部１０３の各軸支部１０４と各可動フィン２３の隙間を閉じる形状となっている。
【００８２】
また、図２４〜２６に示すように、中央軸支部１０３とベベルギヤ部材１５１を回動可能に連結させた状態で、ベベルギヤ部材１５１側の支持用リブ１５５が中央軸支部１０３側の隙間閉鎖用リブ１４１に当接するようになっている。これにより、操作部１０６を持って回動ルーバー２を、ボールジョイント１０８を中心に傾動操作したとき、操作部１０６からベベルギヤ１５１を介してボールジョイント１０８に伝達される荷重を確実に中央軸支部１０３が保持し、操作部１０６の不安点な動きを防止して、安定した傾動操作を行うことができる。
【００８３】
中央軸支部１０３の前側の嵌合部１３４には、ベベルギヤ機構のベベルギヤ部材１５１が回動可能に嵌合され、そのベベルギヤ部材１５１が５枚の可動フィン２３の元部に設けたベベルギヤ片２５に噛合する。これにより、操作部１０６を回動操作したとき、ベベルギヤ部材１５１が回動し、その回転がベベルギヤ片２５を介して５枚の可動フィン２３に伝達され、可動フィン２３がその支軸２４，２７を軸に回動する。
【００８４】
操作部１０６は、図２３に示す如く、ノブ本体１６１と加飾部１６３とから構成され、ノブ本体１６１の前部に加飾部１６３を嵌着して、ダイヤルノブ状に形成される。操作部１０６の内側には、方形断面の方形筒状部が設けられ、その方形筒状部内に、ベベルギヤ部材１５１の中央軸部１５２が嵌入される。
【００８５】
回動ルーバー２の操作部１０６は、円筒フレーム２０の前部の格子部２１ａの中央に、回動操作可能に装着される。図２３に示す如く、格子部２１ａの中央には、操作部保持部２１ｂが円形凹部として形成され、その操作部保持部２１ｂの中央に、挿入孔が設けられる。その挿入孔に前部から操作部６の軸部が挿入され、後部からはベベルギヤ部材１５１の軸部１５２が操作部６の軸部内に挿通され、軸部１５２に設けた係止爪１５３が軸部の係止部に係止される。これにより、操作部６とベベルギヤ部材１５１が回動操作可能に連結されて、円筒フレーム１２０の中央に取り付けられる。
【００８６】
この状態で、ベベルギヤ機構のベベルギヤ部材１５１が５枚の可動フィン２３の元部に設けたベベルギヤ片２５と噛合し、操作部１０６の回動操作時、操作部１０６の回動に応じて、ベベルギヤ機構のベベルギヤ部材１５１とベベルギヤ片２５を介して、５枚の可動フィン２３が放射状の支軸２４、２７を中心に回動（傾動）し、流路１５を絞り且つ開閉する。また、円筒フレーム１２０の前円筒フレーム１２１の内側内周部に絞り湾曲面１２１ａが設けられ、円筒フレーム１２０内を通過する送風を適度に絞り、これにより、送風時の風の指向性を向上させることができる。
【００８７】
上述の如く、このレジスタでは、中央軸支部１０３が、軸支部１０４を硬質合成樹脂で比較的堅固に成形される一方、その内側の軟質弾性軸受部１３０をシリコーンゴムなどの軟質弾性材で成形するので、可動フィン２３内側の支軸２７をがたつきなく緻密に軸支、操作部１０６の傾動操作時には、回動ルーバー２を優れた操作フィーリングで、ボールジョイント１０８を支点に傾動させることができる。
【００８８】
レジスタの使用時、操作部１０６を持って回動ルーバー２を傾動操作した場合、回動ルーバー２がボールジョイントを中心に、上下或いは左右に最大制限角度まで傾動して停止し、操作部１０６の操作荷重は、中央軸支部１０３から支持用リブ１５５を介してベベルギヤ部材１５１で保持される。このとき、図２３に示すように、ベベルギヤ部材１５１の後部側の開口縁部が先ずボールジョイント１０８の軸部１８２に当接し、次に円筒フレーム１２０の後円筒フレーム１２２の縁部がリテーナ１の内側の当接部１ｃに、または前円筒フレーム１２１の縁部がベゼル９の内側縁部９ｃに当接し、回動ルーバー２は停止する。
【００８９】
このとき、操作部１０６の操作荷重は、ベベルギヤ部材１５１から支持用リブ１５５を介して中央軸支部１０３に伝わり保持される。このため、回動ルーバー２の傾動操作時、操作部１０６を取り付けたベベルギヤ部材１５１及び中央軸支部１０３が不安定に傾くなどの不具合がなくなり、操作部１０６による回動ルーバー２の傾動操作を、良好な操作フィーリングで行うことができる。
【００９０】
なお、上記実施形態の回動ルーバー２には、５枚の可動フィン２３を設けたが、例えば、可動フィンの数を３枚或いは６枚とすることもできる。また、上記操作部６は円環状としたが、別の多角形などの形状にすることもできる。
【符号の説明】
【００９１】
１      リテーナ
２      回動ルーバー
３      中央軸支部
４      軸支部
５      ベベルギヤ機構
６      操作部
８      ボールジョイント
９      ベゼル
９ａ    係止爪
９ｂ    空気吹出口
１１    ボールジョイント支持部
１２    支持枠
１３    係止部
１５    流路
２０    円筒フレーム
２１    前円筒フレーム
２１ａ  格子部
２１ｂ  操作部保持部
２１ｃ  挿入孔
２１ｄ  係止部
２２    後円筒フレーム
２２ａ  係止爪
２２ｂ  ストッパ
２２ｃ  フィン当て縁部
２３    可動フィン
２４    支軸
２５    ベベルギヤ片
２６    フィン本体
２７    支軸
２８    隙間閉鎖用凸部
２９    不織布シート
３１    中央軸
３１ａ  軸穴
３２    ボール穴
４１    隙間閉鎖用リブ
４２    軸穴
５１    ベベルギヤ部材
５２    軸部
５３    係止爪
５４    内側軸部
６１    軸部
６２    係止部
８１    ボール
８２    軸部
【図１】
0005928932.tif 000002
【図２】
0005928932.tif 000003
【図３】
0005928932.tif 000004
【図４】
0005928932.tif 000005
【図５】
0005928932.tif 000006
【図６】
0005928932.tif 000007
【図７】
0005928932.tif 000008
【図８】
0005928932.tif 000009
【図９】
0005928932.tif 000010
【図１０】
0005928932.tif 000011
【図１１】
0005928932.tif 000012
【図１２】
0005928932.tif 000013
【図１３】
0005928932.tif 000014
【図１４】
0005928932.tif 000015
【図１５】
0005928932.tif 000016
【図１６】
0005928932.tif 000017
【図１７】
0005928932.tif 000018
【図１８】
0005928932.tif 000019
【図１９】
0005928932.tif 000020
【図２０】
0005928932.tif 000021
【図２１】
0005928932.tif 000022
【図２２】
0005928932.tif 000023
【図２３】
0005928932.tif 000024
【図２４】
0005928932.tif 000025
【図２５】
0005928932.tif 000026
【図２６】
0005928932.tif 000027